(57)【要約】【課題】  製造工程でのシール貼付けの作業性を向上させることができるとともに、流通段階及び使用開始後の製品の信頼性を高めることのできる新規な容器用の蓋部材並びにこの蓋部材が組み付けられたウェットティッシュ製品を開発することを技術課題とした。【解決手段】  蓋部材１は、蓋基部体２と、開閉蓋３とを具えて成り、開閉蓋３は、取出口４を被覆した状態で蓋基部体２と相互に嵌め合い状態となり、開閉蓋３の内面に形成された密閉リブ３２と蓋基部体２の天板部２０との間で気密性が確保され、密閉リブ３２の内側部分には、取出口４を囲んでシール貼付部５が形成されたことを特徴として成り、シール貼付部５へのシールＳの貼り付けを確実に行うことが可能となる。また開閉蓋３と蓋基部体２とが相互に嵌め合い状態となる際に、シールＳが噛み込まれてしまうことがないため、両者のクリアランスを最小限に抑えることができる。【選択図】図１
2006347554.tif 000002
【特許請求の範囲】
【請求項１】
湿潤不織布等を収容する容器本体に対して組み付けられる蓋部材であって、この蓋部材は、取出口が形成された蓋基部体と、前記取出口を封鎖するための開閉蓋とを具え、この開閉蓋は、前記取出口を被覆した状態で蓋基部体と相互に嵌め合い状態を保ち、この嵌め合い状態において開閉蓋の内面に形成された密閉リブと蓋基部体の天板部との間で気密性が確保されるものであり、且つ前記密閉リブの内側部分には、取出口を囲んでシール貼付部が形成されたことを特徴とする容器用の蓋部材。
【請求項２】
前記シール貼付部は、取出口周縁よりも高い位置に貼付面が形成されていることを特徴とする請求項１記載の容器用の蓋部材。
【請求項３】
前記開閉蓋は、蓋基部体に対してヒンジ接続されていることを特徴とする請求項１または２記載の容器用の蓋部材。
【請求項４】
前記請求項１、２または３記載の蓋部材を、湿潤不織布を収容した容器本体に対して組み付けて形成されたウェットティッシュ製品であり、前記蓋部材の蓋基部体における取出口を囲んで形成されたシール貼付部の貼付面に対して、非通気性のシールが貼付されており、このシールによって湿潤不織布の乾燥及び液体成分の漏出を防止していることを特徴とするウェットティッシュ製品。
【請求項５】
前記シールは、取出口から湿潤不織布の端部が突出した状態でシール貼付部における貼付面に対して貼付されていることを特徴とする請求項４記載のウェットティッシュ製品
【発明の詳細な説明】
【技術分野】
【０００１】
本発明はウェットティッシュ等の湿潤不織布の容器に関するものであって、特に製造工程での作業性を向上させることができるとともに、製品の信頼性を高めることのできる新規な容器用の蓋部材並びにこの蓋部材が組み付けられたウェットティッシュ製品に係るものである。
【背景技術】
【０００２】
近時、不織布に対して、アルコール、水、香料、更にはコラーゲン等の機能性成分等を含浸させた、いわゆるウェットティッシュが広く流通している。
このウェットティッシュの用途は、手拭用、化粧用、清拭用等の身体用や、床、ＯＡ機器の掃除用等として多岐にわたるものであり、またその商品形態には、樹脂フィルムの袋体に１０枚程度が内包された携帯用のものと、樹脂ボトルに１００枚程度が内包された家庭用のものとがある。
【０００３】
ここで前記家庭用のウェットティッシュ製品Ｐ′は図５に示すように、ボトルＢ′内に湿潤不織布Ｔ′が収容され、蓋部材１′が装着され、ポリエチレン等の外皮フィルムＦ′で被覆された状態で流通するものである。
なお前記湿潤不織布Ｔ′は、一枚ずつ連続的にポップアップするように、複数枚が順に折り畳まれた状態、あるいはミシン目が付けられた長尺物がロール状に巻かれた状態でボトルＢ′内に収容される。
【０００４】
そして流通段階での液体成分の漏出や湿潤不織布Ｔ′の乾燥を防ぐために、前記外皮フィルムＦ′のみでなく、ボトルＢ′の開口部または蓋部材１′の取出口４′付近に、アルミシートや樹脂シートで形成されたシールＳ′が貼付される。このうちボトルＢ′の開口部に、図５（ｂ）中仮想線で示すシールＳ１′が貼付されたウェットティッシュ製品Ｐ′の場合には、消費者は使用開始時にボトルＢ′から蓋部材１′を取り外し、シールＳ′を剥がすとともに、一枚目の湿潤不織布Ｔ′の端部を取出口４′に通過させ、蓋部材１′を再びボトルＢ′に組み付ける操作が必要となる。
一方、図５（ｂ）に実線で示すように、取出口４′付近にシールＳ′が貼付されたウェットティッシュ製品Ｐ′の場合には、一枚目の湿潤不織布Ｔ′の端部が取出口４′に通過させられた状態でシールＳ′を貼付することができるため、消費者はウェットティッシュ製品Ｐ′を購入した後、シールＳ′を剥がした時点で即座に湿潤不織布Ｔ′を使用することができるものである。
【０００５】
なお多くのウェットティッシュ製品Ｐ′は図５（ｂ）に示すように、開閉蓋３′に形成された密閉リブ３２′と、蓋基部体２′に形成された密閉リブ３２′とが嵌合することにより内外の遮断を行い、液体成分の漏出及び湿潤状態の維持が図られている（例えば特許文献１参照）。このため、中には前記シールＳ′が貼られていないウェットティッシュ製品Ｐ′もあるが、長時間の輸送を要する場合や、気温が高くなる夏季等では液体成分が漏出し、ウェットティッシュ製品Ｐ′と外皮フィルムＦ′との間が濡れてしまうこともあるため、前記シールＳ′を貼付しておくのが好ましい。
【０００６】
ところでこの種の商品は、単価が低いうえに価格競争が激しいため、現状では賃金の低い海外で生産される傾向にあり、更に生産機械が導入されることなく手作業での生産が行われることもある。この場合、前記シールＳ′の位置決めが困難であるため、図５（ｃ）に示すように正規の位置に貼付されずに、図５（ｄ）に示すように貼付位置がずれてしまいやすく、見栄えが悪いばかりでなく、液体成分の漏出を起こしてしまうこともあった。
また前記図５（ａ）（ｂ）に示したウェットティッシュ製品Ｐ′では、開閉蓋３′に形成された密閉リブ３２′と、蓋基部体２′に形成された密閉リブ３２′とが嵌合することにより内外の遮断を行い、液体成分の漏出及び湿潤状態の維持が図られているものの、シールＳを噛み込む分だけクリアランスを余計に取らねばならず、開封後の機密性の低下を招いてしまう要因となっていた（例えば特許文献１参照）。
【特許文献１】特開２０００−５１１１７（図１）
【発明の開示】
【発明が解決しようとする課題】
【０００７】
本発明はこのような背景を認識してなされたものであって、製造工程でのシール貼付けの作業性を向上させることができるとともに、流通段階及び使用開始後の製品の信頼性を高めることのできる新規な容器用の蓋部材並びにこの蓋部材が組み付けられたウェットティッシュ製品を開発することを技術課題としたものである。
【課題を解決するための手段】
【０００８】
すなわち請求項１記載の容器用の蓋部材は、湿潤不織布等を収容する容器本体に対して組み付けられる蓋部材であって、この蓋部材は、取出口が形成された蓋基部体と、前記取出口を封鎖するための開閉蓋とを具え、この開閉蓋は、前記取出口を被覆した状態で蓋基部体と相互に嵌め合い状態を保ち、この嵌め合い状態において開閉蓋の内面に形成された密閉リブと蓋基部体の天板部との間で気密性が確保されるものであり、且つ前記密閉リブの内側部分には、取出口を囲んでシール貼付部が形成されたことを特徴として成るものである。
この発明によれば、シール貼付部へのシールの貼付を確実に行うことが可能となる。また開閉蓋と蓋基部体とが相互に嵌め合い状態となる際に、シールが噛み込まれてしまうことがないため、両者のクリアランスを最小限に抑えることができる。
【０００９】
また請求項２記載の容器用の蓋部材は、前記要件に加え、前記シール貼付部は、取出口周縁よりも高い位置に貼付面が形成されていることを特徴として成るものである。
この発明によれば、取出口から湿潤不織布の端部が突出した状態でシール貼付部における貼付面に対してシールを貼付することができる。
【００１０】
更にまた請求項３記載の容器用の蓋部材は、前記要件に加え、前記開閉蓋は、蓋基部体に対してヒンジ接続されていることを特徴として成るものである。
この発明によれば、バネを用いたワンタッチ開放構造を採用することが可能となり、ウェットティッシュ製品の商品価値を高めることができる。
【００１１】
また請求４項記載のウェットティッシュ製品は、前記請求項１、２または３記載の蓋部材を、湿潤不織布を収容した容器本体に対して組み付けて形成されたウェットティッシュ製品であり、前記蓋部材の蓋基部体における取出口を囲んで形成されたシール貼付部の貼付面に対して、非通気性のシールが貼付されており、このシールによって湿潤不織布の乾燥及び液体成分の漏出を防止していることを特徴として成るものである。
この発明によれば、シール貼付部へのシールの貼付が確実に行うことが可能となるため、液体成分の漏出や湿潤不織布の乾燥を確実に防ぐことができる。また開閉蓋と蓋基部体とが相互に嵌め合い状態となる際に、シールが噛み込まれてしまうことがないため、両者のクリアランスを最小限に抑えることができ、製品使用時の信頼性を向上させることができる。
【００１２】
更にまた請求５項記載のウェットティッシュ製品は、前記請求項４記載の要件に加え、前記シールは、取出口から湿潤不織布の端部が突出した状態でシール貼付部における貼付面に対して貼付されていることを特徴として成るものである。
この発明によれば、ウェットティッシュ製品を、消費者にとって利便性の高いものとすることができる。
そしてこれら各請求項記載の発明の構成を手段として前記課題の解決が図られる。
【発明の効果】
【００１３】
本発明によれば、製造工程でのシール貼り付けの作業性を向上させることができるとともに、流通段階及び使用開始後の製品の信頼性を高めることができ、低価格で高品質のウェットティッシュ製品を提供することが可能となる。
【発明を実施するための最良の形態】
【００１４】
本発明の「容器用の蓋部材並びにこの蓋部材が組み付けられたウェットティッシュ製品」の最良の形態の一つは以下の実施例に説明するとおりである。なお以下の実施例に対して、本発明の技術的思想の範囲内において適宜変更を加えることも可能である。
【実施例】
【００１５】
図中、符号１で示すものが本発明の蓋部材であって、このものは湿潤不織布Ｔが収容される容器本体たるボトルＢとともに、ウェットティッシュ製品Ｐを構成するものである。
ここで前記ウェットティッシュ製品Ｐとは、不織布に対して、アルコール、水、香料、更にはコラーゲン等の機能性成分等を含浸させた湿潤不織布Ｔを商品主体とする、いわゆるウェットティッシュであって、その用途は、手拭用、化粧用、清拭用等の身体用や、床、ＯＡ機器の掃除用等として多岐にわたるものである。
なお前記ウェットティッシュ製品Ｐは図３（ｂ）に示すように、ポリエチレン等の外皮フィルムＦで被覆された状態で流通するものである。
また前記湿潤不織布Ｔは、一枚ずつ連続的にポップアップするように、複数枚が順に折り畳まれた状態、あるいはミシン目が付けられた長尺物がロール状に巻かれた状態でボトルＢ内に収容される。
【００１６】
ここで前記蓋部材１について詳しく説明すると、このものはボトルＢに組み付けられる蓋基部体２と、この蓋基部体２に形成された取出口４を封鎖するための開閉蓋３とを主要部材として構成されるものである。
前記蓋基部体２はボトルＢの開口部形状に合わせた同形状に形成されるものであり、この実施例では直径８０ｍｍの円形の天板部２０の周縁全域に嵌合リブ２０Ａが一体形成されるものである。
また前記天板部２０の中心には取出口４が形成されるものであり、この実施例では図２に示すように、幅０．５ｍｍ、長さ１５ｍｍ程度のスリット２本を直交した状態で形成するとともに、その交点部分を直径１ｍｍ程の正方形状に除去して形成した。なお取出口４をこのような構成とすることにより、湿潤不織布Ｔが取出口４を通過する際に、スリットの周辺部分が放射状に撓んで湿潤不織布Ｔに適度の抵抗を付与することになり、一枚目の湿潤不織布Ｔが完全に引き出された時点で、次の湿潤不織布Ｔの先端部分が取出口４から１ｃｍ程度突出した状態を得ることが可能となる。
【００１７】
また前記取出口４の外側には、これを囲むようにしてシール貼付部５が形成されるものであり、図３に示すように一例として取出口４の中心から外側１０ｍｍ〜１５ｍｍの範囲を、取出口４の面から６ｍｍ程高くすることにより、図２に示すように平面視で円環状の平坦な面である貼付面５ａが形成される。
更に前記シール貼付部５の外側７ｍｍの範囲を、貼付面５ａから４ｍｍ程低くした第一平坦面２１とし、更にこの第一平坦面２１の外側２．５ｍｍの範囲を第一平坦面２１から４ｍｍ程高くした第二平坦面２２とし、更にまたこの第二平坦面２２の外側６．５ｍｍの範囲を第二平坦面２２から１ｍｍ程高くした第三平坦面２３とする。更にこの第三平坦面２３の外縁部に収容壁２５が立ち上げられる。
なお詳しくは後述するが、前記第二平坦面２２は開閉蓋３との間で機密性を担う個所となるものであり、また前記第三平坦面２３は開閉蓋３の収まり個所となるものである。
【００１８】
また前記収容壁２５上の二カ所を幅２５ｍｍ程度で切り欠き状態として開閉蓋組付部２６と開放操作片組付部２７とするものであり、これらの個所にそれぞれ開閉蓋３及び開放操作片７が組み付けられることとなるため、その側壁部に軸受２６ａ、２７ａが形成される。なおこれらの軸受２６ａ、２７ａについては、蓋部材１がボトルＢに組み付けられるとともに開閉蓋３が閉鎖された状態で内外の機密性が確保されるように、貫通されることなく袋状に形成するようにした。  そして前記開放操作片組付部２７には係止爪２７ｂが形成され、一方、前記開閉蓋組付部２６にはバネ収容部受２６ｂが形成される。
【００１９】
更にまた図１に破断して示すように、前記嵌合リブ２０Ａの内側部分には、その全周に亘って係合突起２８が二条形成されるものである。
なおこの係合突起２８は、ボトルＢの外周部に形成される係合突起Ｂｐと係合して両者を締結するものであるため、これら両者をねじ状に形成して締結を図るようにしてもよい。
【００２０】
次に前記開閉蓋３について説明すると、このものは前記第三平坦面２３上に位置した状態で収容壁２５の内側に嵌り込むような平面形状を有するものであり、この実施例では円形の天板部３０の周縁ほぼ全域に外縁３１が立ち上げられ、更にその内側に円周状に密閉リブ３２が立ち上げられる。
前記外縁３１は、その先端が前記蓋基部体２における第三平坦面２３に当接するとともに外周面が収容壁２５と接し、この状態で開閉蓋３が収まった閉鎖状態となるものである。
またこの閉鎖状態では、前記密閉リブ３２の先端が、前記蓋基部体２における第二平坦面２２に当接するとともに、更に密閉リブ３２の外周面が第二平坦面２２と第三平坦面２３との段差部分に内嵌状態に密着して、外部雰囲気との機密性が確保されることとなる。
【００２１】
また前記天板部３０にはアーム３３が具えられるものであり、このアーム３３の先端部分に軸３４ａを具えたバネ収容部３４が具えられる。この実施例では一例として線材の両端を非巻線部としたねじりコイルばねがバネ６として適用されるものであり、このバネ６は図１、図４に示すように、前記バネ収容部３４に巻線部と一方の非巻線部が収容されるとともに、他方の非巻線部が突出した状態となるように収められ、カバー３５によって保持されるものである。なおカバー３５から突出した非巻線部については、図４に示すようにその先端部分を丸めるようにすることが好ましい。
そして前記軸３４ａが、開閉蓋組付部２６における軸受２６ａに対して嵌め込まれることにより、バネ収容部３４がバネ収容部受２６ｂに収まった状態で、蓋基部体２に開閉蓋３が組み付けられるものである。
このとき、前記バネ収容部３４から突出状態となった非巻線部はバネ受２６ｃ内に位置するため、開閉蓋３は開放傾向に附勢されるものである。
ここで前記バネ６としては適宜板バネ等を適用することもできる。
更に前記天板部３０には、外縁３１を一部分断した個所に係止爪３６が具えられるものであり、このものが前記開放操作片組付部２７に形成された係止爪２７ｂと係合することにより、開閉蓋３の閉鎖状態が維持されることとなるものである。
【００２２】
次に開放操作片７について説明すると、このものは図４に示すように、本体部分の両脇に軸７１が具えられるとともに、この軸７１を中心とした回動端に蹴上片７２が二本具えられて成るものである。
そして前記軸７１が、前記開放操作片組付部２７における軸受２７ａに対して嵌め込まれることにより、蓋基部体２に開放操作片７が組み付けられるものである。なおこの組付け状態において、二本の蹴上片７２の間に前記係止爪２７ｂが位置することとなり、またこれら蹴上片７２は、開閉蓋３が閉じた状態で外縁３１の下側に進入した状態で位置することとなる。
【００２３】
次に前記ボトルＢについて説明すると、このものは湿潤不織布Ｔを収容し、その乾燥を防ぐ機能が要求されるため、ポリプロピレン等の合成樹脂や、適宜防水加工が施された紙等によって形成されるものである。
またこの実施例ではボトルＢの形状を、上部が開口した円筒状とするものであり、開口部付近の径を細くするとともに、この部分の全周に亘って係合突起Ｂｐが一条形成されるものである。
【００２４】
本発明の蓋部材１並びにこの蓋部材１が組み付けられて構成されるウェットティッシュ製品Ｐは一例として上記のような構成が採られるものであり、以下ウェットティッシュ製品Ｐの製造工程をたどりながら本発明のウェットティッシュ製品Ｐについて説明する。
【００２５】
〔蓋部材の組み立て〕
まず開放操作片７における軸７１を、蓋基部体２の開放操作片組付部２７における軸受２７ａに対して嵌め込むことにより、蓋基部体２に開放操作片７を組み付ける。
次に開閉蓋３におけるバネ収容部３４にバネ６を収容しカバー３５を閉じる。このとき、先端部分が丸められた非巻線部がバネ収容部３４から突出するようにする。
次いで開閉蓋３における軸３４ａを、開閉蓋組付部２６における軸受２６ａに対して嵌め込むことにより、バネ収容部３４がバネ収容部受２６ｂに収まった状態で、蓋基部体２に開閉蓋３が組み付けられるものである。
このとき、前記バネ収容部３４から突出状態となった非巻線部はバネ受２６ｃ内に位置するため、開閉蓋３はバネ６の作用によって開放傾向に附勢されるものである。
【００２６】
〔湿潤不織布のセット〕
次に予め別工程で、一枚ずつ連続的にポップアップするように複数枚が順に折り畳まれた状態、あるいはミシン目が付けられた長尺物がロール状に巻かれた状態とするとともに、アルコール、水、香料、更にはコラーゲン等の機能性成分等を含浸させておいた湿潤不織布ＴをボトルＢ内に収容する。
次に一枚目の湿潤不織布Ｔの端部を取出口４に通過させ、蓋部材１をボトルＢに組み付けるものであり、このとき蓋部材１とボトルＢとは、係合突起２８と係合突起Ｂｐとが係合して締結され、この締結部分での機密性が確保される。
【００２７】
〔シール貼付〕
次いで取出口４の外側上部に位置する貼付面５ａに対してシールＳを貼付するものであり、この実施例では、このような作業を手作業で行うが、前記貼付面５ａは幅が５ｍｍ程確保されているため、位置決めを容易に行うことができるとともに、シールＳを貼付した後に押圧して、その接着を確実に行うことが可能となるものである。
なお前記シールＳは、樹脂フィルムにアルミ等の金属を蒸着させることにより、通気性を充分に阻むことができるようにしたものが用いられる。
因みに前記シールＳは、貼付位置のズレを見込んで貼付面５ａよりも若干大きめの寸法に設定されるため、作業者はシールＳに隠れた貼付面５ａを目視できないことを考慮すると、図２（ｃ）に示すように第一平坦面２１に対してシールＳの外形と同じかあるいは若干大きめの目印Ｍを付しておくことにより、位置ずれの防止を図ることも可能である。
更に図２（ｄ）に示すように、シールＳに対して貼付面５ａの平面形状を目印Ｍとして印刷しておくことにより、同様に位置ずれの防止を図ることも可能である。
そして作業者は開閉蓋３を閉め、一体化された蓋部材１及びボトルＢ全体を透明樹脂から成る外皮フィルムＦによってラッピングし、ウェットティッシュ製品Ｐが完成することとなる。
【００２８】
なおウェットティッシュ製品Ｐの流通段階において、ボトルＢ内の雰囲気は前記シールＳによって外部と完全に遮断されることとなる。
すなわち図３（ｂ）に示すように、前記取出口４からは湿潤不織布Ｔの端部が１ｃｍ程度突出した状態となるが、この部分はシールＳによって塞がれて外気と遮断されるため液体成分の蒸発が阻止され、湿潤不織布Ｔの湿潤状態が維持されることとなる。
【００２９】
〔消費者による使用態様〕
そして消費者がウェットティッシュ製品Ｐを使用するにあたっては、まず外皮フィルムＦを剥がし、開放操作片７を押して開閉蓋３を開けるとともに（バネ６の作用によるワンタッチ開放）、シールＳを剥がして使用可能な状態とし、取出口４から１ｃｍ程度突出した状態の湿潤不織布Ｔを引き出して供することとなる。
そして使用後は開閉蓋３を閉めておくものであり、この状態で前記取出口４からは次の湿潤不織布Ｔの端部が１ｃｍ程度突出した状態となるが、この部分は図３（ｂ）に示すように第二平坦面２２及び密閉リブ３２によって外気と遮断されることとなり、液体成分の蒸発が阻止されて湿潤不織布Ｔの湿潤状態が維持されることとなる。
このように本発明の蓋部材１が組み付けられたウェットティッシュ製品Ｐは、シールＳの貼り付け部分と、使用時の機密性確保に関与する部分とを完全に分けてあるため、流通段階においてシールＳが噛み込まれてしまうようなことはなく、密閉リブ３２と第二平坦面２２との間のクリアランスを最小限に抑えることができ、製品使用時の信頼性を向上させることができる。
【００３０】
〔蓋部材の改変例〕
本発明の蓋部材１は上述した実施例を基本となる実施例とするものであるが、本発明の技術的思想に基づいて以下に示すような形態を採ることもできる。
まずシール貼付部５における貼付面５ａを、取出口４と同じ高さとしてもよく、このような構成が採られたときには、取出口４の周辺に広い空間が確保されるため、湿潤不織布Ｔの採り出しを容易に行うことが可能となる。
【００３１】
また上述した基本となる実施例では、開閉蓋３を蓋基部体２に対してヒンジ接続するとともに、バネ６を用いたワンタッチ開放構造が採用されたが、図５に示した既存の製品と同様に、開閉蓋３を蓋基部体２に対して一体成形するようにしてもよく、この場合、部品点数が減るためコストダウンを図ることができる。
【００３２】
〔適用製品の他の実施例〕
また本発明の蓋部材１は、組み付け対象たる容器を前出のボトルＢに限るものではなく、例えば箱型の容器等を組み付け対象とすることができるものである。
【００３３】
〔ウェットティッシュ製品の改変例〕
また本発明のウェットティッシュ製品Ｐは上述した実施例を基本となる実施例とするものであるが、本発明の技術的思想に基づいて以下に示すような形態を採ることもできる。
すなわち上述した基本となる実施例では、一枚目の湿潤不織布Ｔの端部を取出口４に通過させた状態で貼付面５ａに対してシールＳを貼付したが、一枚目の湿潤不織布Ｔの端部を取出口４に通過させる作業を省略するようにしてもよい。この場合、製造工程が簡略化されるためコストダウンを図ることができる。
【図面の簡単な説明】
【００３４】
【図１】本発明の蓋部材及びこのものが組み付けられたウェットティッシュ製品を示す斜視図である。
【図２】開閉蓋が開放された状態の蓋部材を示す平面図である。
【図３】本発明の蓋部材及びこのものが組み付けられたウェットティッシュ製品を示す縦断側面図である。
【図４】本発明の蓋部材及びこのものが組み付けられたウェットティッシュ製品を示す分解図である。
【図５】既存のウェットティッシュ製品を示す斜視図及び縦断側面図並びに取出口を示す平面図である。
【符号の説明】
【００３５】
１        蓋部材
２        蓋基部体
２０      天板部
２０Ａ    嵌合リブ
２１      第一平坦面
２２      第二平坦面
２３      第三平坦面
２５      収容壁
２６      開閉蓋組付部
２６ａ    軸受
２６ｂ    バネ収容部受
２６ｃ    バネ受
２７      開放操作片組付部
２７ａ    軸受
２７ｂ    係止爪
２８      係合突起
３        開閉蓋
３０      天板部
３１      外縁
３２      密閉リブ
３３      アーム
３４      バネ収容部
３４ａ    軸
３５      カバー
３６      係止爪
４        取出口
５        シール貼付部
５ａ      貼付面
６        バネ
７        開放操作片
７１      軸
７２      蹴上片
Ｂ        ボトル
Ｂｐ      係合突起
Ｆ        外皮フィルム
Ｍ        目印
Ｐ        ウェットティッシュ製品
Ｓ        シール
Ｔ        湿潤不織布
【図１】
2006347554.tif 000003
【図２】
2006347554.tif 000004
【図３】
2006347554.tif 000005
【図４】
2006347554.tif 000006
【図５】
2006347554.tif 000007